(57)【要約】【課題】縦方向（長さ方向）に伸縮性を備えた細幅織物に関し、伸ばしたときと縮んだときで表面側の色彩、模様、光沢などの見え方が異なる細幅織物を提供する。【解決手段】多数本を占める主経糸、主経糸より細い押え経糸及びゴム糸からなる経糸と、表層の緯糸及び裏地の緯糸とによって製織されている。主経糸及びゴム糸は、裏地の緯糸とのみ交絡しており、表層の緯糸とは交絡していない。主経糸は、裏地の表側に多く現れるような織組織で、裏地の緯糸と交絡している。押え経糸は、表層の緯糸を裏地の緯糸に束ねるように表裏の緯糸と交絡している。伸ばしたときの織物表面の見え方は、表層の緯糸により決定され、伸ばしたときの織物表面の見え方は、主経糸によって決定される。【選択図】図５
2011127257.tif 000002
【特許請求の範囲】
【請求項１】
経糸本数の中で多数本を占める主経糸と、主経糸より細い押え経糸と、ゴム糸からなる経糸と、表層の緯糸と、裏地の緯糸とを含んで織成され、主経糸が裏地の表側に多く現れる織組織で裏地の緯糸とのみ交絡し、押え経糸が表層の緯糸を裏地の緯糸に束ねるように表層の緯糸及び裏地の緯糸と交絡し、ゴム糸が張力を付与された状態で裏地の緯糸とのみ交絡し、縮んだ状態で表層の緯糸が互いに密着して裏地の表面に添設されている、伸縮性を備えた細幅織物。
【請求項２】
主経糸と表層の緯糸とが異なる色に染色されている、請求項１記載の細幅織物。
【請求項３】
裏地の表面に織模様が形成されている、請求項１又は２記載の細幅織物。
【請求項４】
表面にプリント模様が付されている、請求項１又は２記載の細幅織物。
【発明の詳細な説明】
【技術分野】
【０００１】
この発明は、縦方向（長さ方向）に伸縮性を備えた細幅織物に関するもので、伸ばしたときと縮んだときで表面側の色彩、模様、光沢などの見え方が異なる細幅織物に関するものである。
【背景技術】
【０００２】
経糸にゴム糸、一般的にはポリウレタンを芯糸とするカバリング糸を含ませることにより、細幅織物に長さ方向の伸縮性を付与することができる。細幅織物には多数本の経糸が用いられるが、一般的にはその多数本の経糸の内の一部のみをゴム糸とすることで伸縮性が付与されている。すなわち、伸縮性を備えた細幅織物は、複数本の経糸毎に１本の割合でゴム糸が用いられており、織物の色、光沢などの見え方は、ゴム糸以外の経糸及び緯糸の色、光沢、織組織などによってほぼ決定される。
【０００３】
経糸が織物の表面に多く現れるような織り方（経出し）をすれば、織物表面の色や光沢は経糸のそれによって決定されるようになる。すなわち、経糸が１本の緯糸の裏側を通り、複数本の緯糸の表側を通り、また１本の緯糸の裏側を通って複数本の緯糸の表側を通るという織り方をすれば、織物の表面に経糸が多く現れるようになり、織物表面の見え方が経糸の色や光沢によって決定されるようになる。一方、緯糸が織物の表面に多く現れるような織り方（緯出し）とし、かつ緯糸に比べて細い経糸を用いれば、織物の表面の見え方は、緯糸の色や光沢によって決定されることになる。
【発明の概要】
【発明が解決しようとする課題】
【０００４】
伸縮性を備えた細幅織物は、下着の胴回りの部分に多く用いられている。例えば男性用下着のトランクスの胴回りなどに多く用いられており、このような箇所に用いる細幅織物には、織り模様でロゴマークなどを現した細幅織物も多く用いられている。伸縮性を備えた従来の細幅織物は、織物の表面に現れた色や模様や光沢などが織物を伸縮させたときに、その伸縮に応じた形状の変化（伸ばしたときに長さ方向に細長くなる。）や伸ばしたときに色や輪郭が薄れる程度の変化しかせず、このような色や模様の変化は、変化というよりむしろ劣化というべきものであった。
【０００５】
この発明は、細幅織物の表面に現れている色や模様が伸びたときと縮んだときとで変化する、例えば、縮んでいるときには見えなかったロゴマークが織物を引き伸ばしたときに見えるとか、伸ばしたときと縮んだときで異なる色相を呈するとかの、伸ばしたときと縮んだときとで全く異なる見え方をする細幅織物を提供することを課題としている。
【課題を解決するための手段】
【０００６】
この発明の伸縮性を備えた細幅織物は、１種類、しかし好ましくは２種類の緯糸２１、２２と、経糸本数の中で多数本を占める主経糸１１と、主経糸１１より細い押え経糸１２と、ゴム糸１３からなる経糸とで織成されている。１種類又は２種類の緯糸は、表層の緯糸２１と裏地の緯糸２２とに分かれている。２種類の緯糸を用いるときは、その一方が表層の緯糸となり、他方が裏地の緯糸となる。ゴム糸１３は、主経糸１１の複数本毎に１本配置されている。押え経糸１２は、主経糸１１の複数本毎に１本又は一対配置されている。
【０００７】
主経糸１１及びゴム糸１３は、裏地の緯糸２２とのみ交絡しており、表層の緯糸２１とは交絡していない。主経糸１１は、経出しで、すなわち裏地の表側（表層の緯糸が配置されている側）に多く現れるような織組織で、裏地の緯糸２２と交絡している。押え経糸１２は、表層の緯糸２１を裏地の緯糸２２に束ねるように表層の緯糸２１及び裏地の緯糸２２と交絡している。すなわち、表層の緯糸２１は、押え経糸１２によって裏地の表面に添設された状態となっている。裏地の表面には、主経糸１１が多く現れており、従って表層の緯糸２１は、押え経糸１２によって裏地の表側に現れている主経糸１１の上に添設された状態となっている。
【０００８】
この発明の伸縮性を備えた細幅織物は、一般的な伸縮性を備えた細幅織物と同様にゴム糸１３に張力をかけた状態で織られている。従って縮んだ状態では、裏地の表面に表層の緯糸２１が隣接する表層の緯糸と密着した状態で裏地３の表側に添設された状態となる。従って、この細幅織物を縮んだ状態で表側から見ると、その表面の見え方は、表層の緯糸２１の色や当該緯糸に付した模様によって決定される。
【０００９】
一方、この発明の細幅織物を長さ方向に引き伸ばすと、ゴム糸１３が引き伸ばされて裏地３が長さ方向に伸びる。押え経糸１２によって裏地の緯糸と束ねられている表層の緯糸２１は、裏地３の伸びに伴って隣接する表層の緯糸との間隔が拡げられる。主経糸１１は、長さ方向に引き伸ばされても経糸間隔が拡げられることがないので、織物が引き伸ばされたときに、間隔が拡げられた表層の緯糸２１の間から主経糸１１の色や模様が見えてくることになる。
【００１０】
例えば裏地の表側に織模様でロゴマークその他の文字や模様を表しておけば、このロゴマークなどは細幅織物が縮んでいるときは見えず、引き伸ばされたときに見えてくることになる。また、表層の緯糸２１と主経糸１１とを異なる色のものとすれば、縮んだときには表層の緯糸２１の色になり、伸ばしたときには、表層の緯糸の色と主経糸の色とが混色された色になる。
【００１１】
また、主経糸１１に段染めした糸を用いれば、細幅織物を引き伸ばしたとき、織物表面の色が玉虫色に変化する。段染めは、束ねた糸の半分を染色し、乾かして残りの半分を染色する。４色にするなら、１／４ずつ染色する。段染めをした糸で織った織物は、玉虫色になり、見る方向によって色が変化する。段染めした糸を主経糸として織った細幅織物の表面にプリント模様を付したこの発明の細幅織物は、引き伸ばすことにより、段染めした糸が現れて色が変化する。
【００１２】
また、表層の緯糸２１として異形断面のフィラメントからなる光沢糸を用いれば、縮んだときと伸びたときの色や柄の見え方の変化を強調することもできる。異形糸は断面が三角形、五角形、星形などの形状のフィラメントで、光の反射により光沢や輝き感が得られるものである。
【発明の効果】
【００１３】
この発明により、伸ばしたときと縮んだときとで表側から見た織物の色や模様や光沢が画期的に変化する細幅織物を提供することができる。従って、この発明の細幅織物を下着の胴回りや伸縮性を要求されるストラップなどに用いたとき、当該下着やストラップに従来の細幅織物では得られない装飾性ないし特異性を付与することができる。従って、この発明の伸縮性を備えた細幅織物を用いることにより、そのような細幅織物を使用している商品の差別化を図ることができ、商品価値を高めることができる。
【図面の簡単な説明】
【００１４】
【図１】実施例における緯糸と押え経糸の交絡状態を示す側面図
【図２】実施例における緯糸と主経糸の交絡状態を示す側面図
【図３】実施例における緯糸とゴム糸からなる経糸の交絡状態を示す側面図
【図４】ゴム糸が張られた状態で示す図２と同様な図
【図５】実施例の細幅織物の模式的な部分横断面図
【発明を実施するための形態】
【００１５】
この発明の細幅織物の実施例を示す図１ないし５において、３は裏地、２１は表層の緯糸、２２は裏地の緯糸、１１は主経糸、１３はゴム糸、１２は押え糸である。表層の緯糸２１と裏地の緯糸２２は、同一の糸としてもよいが、異なる糸を用いるのが好ましい。表層の緯糸２１は、製織された細幅織物表面の色や風合いに影響を及ぼすが、裏地の緯糸２２は、当該表面の色や風合いに影響を及ぼさない。ゴム糸１３は、ポリウレタンを芯糸とするカバリング糸である。主経糸１１は、引き伸ばしたときの織物表面の色や風合いに影響を及ぼす。押え経糸１２は、主経糸１１より細いナイロンなどの強靱な糸を用いる。
【００１６】
主経糸１１は、図２に示すように、一本の裏地の緯糸２２の裏側（図の下側）を通り、３本の裏地の緯糸２２の表側を通り、１本の裏地の緯糸の裏側を通り、３本の裏地の緯糸の表側を通るという態様で、裏地の緯糸２２と交絡している。主経糸１１は、表層の緯糸２１とは交絡していない。隣接する主経糸１１相互は、図２に符号１１ａ、１１ｂで示すように、互い違いに、すなわち、一方の主経糸１１ａが、隣接する他方の主経糸１１ｂが表側を通っている３本の裏地の緯糸２２の中央の１本の裏側を通り、隣接する他方の主経糸１１ｂが裏側を通っている１本の裏地の緯糸２２ａとその両側の裏地の緯糸２２ｂの表側を通って交絡する構造となっている。
【００１７】
ゴム糸１３は、裏地の緯糸１本毎にその裏側から表側へと交絡しており、表層の緯糸２１とは交絡していない。図１ないし３は、主経糸１１及びゴム糸１３の交絡状態を判り易くするために裏地の緯糸２２を一平面に配置して示した図であるが、実際にはゴム糸１３に張力を付与して織成される関係上、織成された細幅織物は、ゴム糸１３が一直線となった図４に示すような構造となっている。すなわち、ゴム糸１３によって裏地の緯糸２２は、隣接するものが交互に一直線となったゴム糸１３の上と下に位置している。
【００１８】
押え経糸１２は、図１に示すように、裏地の緯糸２２の２本と表層の緯糸２１の２本とを一束にして、その表側と裏側を交互に通るように交絡されている。図の実施例では、２本の押え経糸１２ａ、１２ｂを隣接させて一対にして織り込んでおり、隣接する押え経糸１２ａ、１２ｂは４本の緯糸２１、２２を一束にして互い違いにその表側と裏側を通るように交絡している。
【００１９】
図５は、上記実施例の細幅織物の横断面を示す部分断面図である。図に示されているように、この実施例の細幅織物では、４本の主経糸１１毎に一対の押え経糸１２ａ、１２ｂと１本のゴム糸１３が配置されている。
【符号の説明】
【００２０】
３  裏地
１１  主経糸
１２  押え経糸
１３  ゴム糸からなる経糸
２１  表層の緯糸
２２  裏地の緯糸
【図１】
2011127257.tif 000003
【図２】
2011127257.tif 000004
【図３】
2011127257.tif 000005
【図４】
2011127257.tif 000006
【図５】
2011127257.tif 000007